(57)【要約】      （修正有）【課題】多色印刷の見当を、精度良く、簡便に調整するための見当調整情報を提示する装置を提供する。【解決手段】印刷制御装置３００から、版胴調整データ３９９を受信保持して、見当マーク座標データ１９５の入力を受け付けて、この両者を用いて、印刷ユニット７００を特定する情報を含むずれ補正データ１９３を作成して、ずれ補正データ１９３と、前記見当マーク座標データ１９５とは異なる見当マーク座標データ１９５を用いて、見当合せ量データ１９７を算出して、この見当合せ量データ１９７を含む見当合せ指示１９９を作成して、送信する見当合せ指示装置１００と、版胴調整情報を受け付けて、これを含む版胴調整データ３９９を作成して、見当合せ指示装置１００に、送信して、見当合せ指示１９９を受信して、表示させて、印刷ユニットを制御する印刷制御装置３００と、が接続されて構成される見当合せ指示システム１である。【選択図】図１
2008012736.tif 000002
【特許請求の範囲】
【請求項１】
基準位置マークを持つ版胴と、前記基準位置マークが確認できる穴と見当マークとを持つ刷版を有する印刷ユニットを制御するために用いる見当合せ指示システムであって、
見当合せ指示装置と印刷ユニットを制御する印刷制御装置とが接続されて構成される見当合せ指示システムにおいて、
前記見当合せ指示装置は、
印刷ユニットを特定する情報を含む見当マーク座標データと、
印刷ユニットを特定する情報を含むずれ補正データと、
印刷ユニットを特定する情報を含む見当合せ量データと、
印刷ユニットを特定する情報を含む見当合せ指示と、
を記憶する記憶手段と、
見当マーク座標データの入力を受け付ける見当マーク座標入力手段と、
版胴調整データを受信する版胴調整データ受信手段と、
見当マーク座標データと版胴調整データとを用いて、印刷ユニットを特定する情報を含むずれ補正データを作成するずれ補正データ作成手段と、
ずれ補正データと、前記見当マーク座標データとは異なる見当マーク座標データを用いて、見当合せ量データを算出する見当合せ量データ算出手段と、
見当合せ量データを含む見当合せ指示を作成する見当合せ指示作成手段と、
見当合せ指示を送信する見当合せ指示送信手段と、
を備える指示装置であって、
前記印刷制御装置は、
印刷ユニットを特定する情報を含む版胴調整データを記憶する記憶手段と、
版胴調整情報を受け付ける版胴調整情報受付手段と、
版胴調整情報を含む版胴調整データを作成する版胴調整データ作成手段と、
版胴調整データを送信する版胴調整データ送信手段と、
見当合せ指示を受信する見当合せ指示受信手段と、
見当合せ指示を表示する見当合せ指示表示手段と、
を備える制御装置である、
ことを特徴とする見当合せ指示システム。
【請求項２】
前記見当合せ指示装置が、
基準位置マークと見当マークとを撮影して、ビデオ信号を出力するカメラ手段と、
ビデオ信号を受け取って、基準位置マークと見当マークとを撮影画面に表示する撮影画面表示手段と、
を備える指示装置である、
ことを特徴とする請求項１に記載の見当合せ指示システム。
【請求項３】
基準位置マークを持つ版胴と、前記基準位置マークが確認できる穴と見当マークとを持つ刷版を有する印刷ユニットを制御するために用いる見当合せ指示システムであって、
印刷ユニットを特定する情報を含むずれ補正データと、
印刷ユニットを特定する情報を含む見当マーク座標データと、
印刷ユニットを特定する情報を含む見当合せ量データと、
印刷ユニットを特定する情報を含む見当合せ指示と、
版胴調整データと、
を記憶する記憶手段と、
印刷ユニットを特定する情報を含む見当マーク座標データの入力を受け付ける見当マーク座標入力手段と、
版胴調整情報を受け付ける版胴調整情報受付手段と、
版胴調整情報を含む版胴調整データを作成する版胴調整データ作成手段と、
見当マーク座標データと版胴調整データとを用いて、印刷ユニットを特定する情報を含むずれ補正データを作成するずれ補正データ作成手段と、
ずれ補正データと、前記見当マーク座標データとは異なる見当マーク座標データを用いて、印刷ユニットを特定する情報を含む見当合せ量データを算出する見当合せ量データ算出手段と、
見当合せ量データを含む見当合せ指示を作成する見当合せ指示作成手段と、
見当合せ指示を表示する見当合せ指示表示手段と、
を備えることを特徴とする見当合せ指示システム。
【請求項４】
見当マークを撮影して、ビデオ信号を出力するカメラ手段と、
ビデオ信号を受け取って、撮影画面に表示する撮影画面表示手段と、
を備えることを特徴とする請求項３に記載の見当合せ指示システム。
【請求項５】
基準位置マークを持つ版胴と、前記基準位置マークが確認できる穴と見当マークとを持つ刷版を有する印刷ユニットを制御するために用いる見当合せ指示方法であって、
印刷ユニットを特定する情報を含むずれ補正データと、
印刷ユニットを特定する情報を含む見当マーク座標データと、
印刷ユニットを特定する情報を含む見当合せ量データと、
印刷ユニットを特定する情報を含む見当合せ指示と、
を用いる見当合せ指示方法であって、
印刷ユニットを特定する情報を含む見当マーク座標データの入力を受け付ける見当マーク座標入力ステップと、
版胴調整情報を受け付ける版胴調整情報受付ステップと、
見当マーク座標データと版胴調整データとを用いて、印刷ユニットを特定する情報を含むずれ補正データを作成するずれ補正データ作成ステップと、
ずれ補正データと、前記見当マーク座標データとは異なる見当マーク座標データを用いて、印刷ユニットを特定する情報を含む見当合せ量データを算出する見当合せ量データ算出ステップと、
見当合せ量データを含む見当合せ指示を作成する見当合せ指示作成ステップと、
見当合せ指示を表示する見当合せ指示表示ステップと、
を含んだ手順でなされることを特徴とする見当合せ指示方法。
【請求項６】
基準位置マークと見当マークとを撮影して、撮影画面に表示する撮影画面表示ステップ、
を含んだ手順でなされることを特徴とする請求項５に記載の見当合せ指示方法。
【請求項７】
コンピュータに組込むことによって、コンピュータを請求項１から、請求項４までのいずれか１項に記載の見当合せ指示システムとして動作させるコンピュータプログラム。
【請求項８】
請求項７に記載のコンピュータプログラムを記録したコンピュータ読取り可能な記録媒体。
【請求項９】
基準位置マークを持つ版胴と、前記基準位置マークが確認できる穴と見当マークとを持つ刷版。
【発明の詳細な説明】
【技術分野】
【０００１】
本発明は、多色印刷の見当調整作業において、印刷装置操作者が、版胴に取付けられた印刷版(以下、刷版)により印刷された見当マークを精度良く調整をするための見当調整情報を提示する装置、および、その方法に関するものである。
【０００２】
従来から、多色印刷の見当調整作業では、印刷された各見当マークの相互の位置関係を測定して、見当の調整をして、各刷版の印刷位置ずれを、補正している。
【背景技術】
【０００３】
たとえば、特許文献１では、見当マークの調整方法として、所定の場所に設置した版胴撮影カメラを用いて、版胴に取付けた刷版の見当マークを撮影して、撮影表示画面の所定の位置に表示させる基準位置マークと共に見当マークを、撮影表示画面に表示させる技術が開示されている。（従来技術１）印刷装置操作者は、この従来技術１を用いて、撮影表示画面に撮影表示されている見当マークと、撮影表示画面に固定的に表示されている基準位置マークと、の相対位置関係から、見当マークの位置を調整する。また、刷版を付け替えるたびに、見当マークの位置を調整している。
【特許文献１】特許公告平２−２４６７０号公報（５〜７ページ、図４−８）
【発明の開示】
【発明が解決しようとする課題】
【０００４】
ところで、従来技術１では、印刷装置が振動すると、カメラが振動するので、撮影表示画面の見当マークが振動してしまう。すると、撮影表示画面の所定の位置に、固定表示されている基準位置マークと、振動する見当マークとの正確な相対位置関係を、正確に測定することが不可能となるという欠点があった。
また、印刷作業の都合で、カメラの位置を動かすと、撮影された見当マークが撮影表示画面に表示される位置が変わるので、基準位置マークとの相対位置関係を測定し直す手間がかかるという問題点があった。
さらに、刷版を付け替えるたびに、見当マークの位置を測定して、見当調整しているので、調整作業に時間を要するという不具合があった。
【０００５】
本発明はこのような従来技術を考慮してなされたものであって、本発明の課題は、多色印刷の見当を、精度良く、簡便に調整するための見当調整情報を提示する装置、および、その方法を提供することである。
【課題を解決するための手段】
【０００６】
本発明は、以下のような解決手段により、前記課題を解決する。すなわち、請求項１の発明は、基準位置マークを持つ版胴と、前記基準位置マークが確認できる穴と見当マークとを持つ刷版を有する印刷ユニットを制御するために用いる見当合せ指示システムであって、見当合せ指示装置と印刷ユニットを制御する印刷制御装置とが接続されて構成される見当合せ指示システムにおいて、前記見当合せ指示装置は、印刷ユニットを特定する情報を含む見当マーク座標データと、印刷ユニットを特定する情報を含むずれ補正データと、印刷ユニットを特定する情報を含む見当合せ量データと、印刷ユニットを特定する情報を含む見当合せ指示と、を記憶する記憶手段と、見当マーク座標データの入力を受け付ける見当マーク座標入力手段と、版胴調整データを受信する版胴調整データ受信手段と、見当マーク座標データと版胴調整データとを用いて、印刷ユニットを特定する情報を含むずれ補正データを作成するずれ補正データ作成手段と、ずれ補正データと、前記見当マーク座標データとは異なる見当マーク座標データを用いて、見当合せ量データを算出する見当合せ量データ算出手段と、見当合せ量データを含む見当合せ指示を作成する見当合せ指示作成手段と、見当合せ指示を送信する見当合せ指示送信手段と、を備える指示装置であって、前記印刷制御装置は、印刷ユニットを特定する情報を含む版胴調整データを記憶する記憶手段と、版胴調整情報を受け付ける版胴調整情報受付手段と、版胴調整情報を含む版胴調整データを作成する版胴調整データ作成手段と、版胴調整データを送信する版胴調整データ送信手段と、見当合せ指示を受信する見当合せ指示受信手段と、見当合せ指示を表示する見当合せ指示表示手段と、を備える制御装置である、ことを特徴とする見当合せ指示システムである。
【０００７】
このように、ずれ補正用データを作成しておくことによって、見当合せ指示を作成することができて、簡便に見当の調整が可能となる。
【０００８】
請求項２の発明は、前記見当合せ指示装置が、基準位置マークと見当マークとを撮影して、ビデオ信号を出力するカメラ手段と、ビデオ信号を受け取って、基準位置マークと見当マークとを撮影画面に表示する撮影画面表示手段と、を備える指示装置である、ことを特徴とする請求項１に記載の見当合せ指示システムである。
【０００９】
このように、見当マークと基準位置マークとを撮影することによって、印刷ユニットが振動しても、正確な見当マーク座標データを測定することができるので、精度の良い見当の調整が実現できる。
【００１０】
請求項３の発明は、基準位置マークを持つ版胴と、前記基準位置マークが確認できる穴と見当マークとを持つ刷版を有する印刷ユニットを制御するために用いる見当合せ指示システムであって、印刷ユニットを特定する情報を含むずれ補正データと、印刷ユニットを特定する情報を含む見当マーク座標データと、印刷ユニットを特定する情報を含む見当合せ量データと、印刷ユニットを特定する情報を含む見当合せ指示と、版胴調整データと、を記憶する記憶手段と、印刷ユニットを特定する情報を含む見当マーク座標データの入力を受け付ける見当マーク座標入力手段と、版胴調整情報を受け付ける版胴調整情報受付手段と、版胴調整情報を含む版胴調整データを作成する版胴調整データ作成手段と、見当マーク座標データと版胴調整データとを用いて、印刷ユニットを特定する情報を含むずれ補正データを作成するずれ補正データ作成手段と、ずれ補正データと、前記見当マーク座標データとは異なる見当マーク座標データを用いて、印刷ユニットを特定する情報を含む見当合せ量データを算出する見当合せ量データ算出手段と、見当合せ量データを含む見当合せ指示を作成する見当合せ指示作成手段と、見当合せ指示を表示する見当合せ指示表示手段と、を備えることを特徴とする見当合せ指示システムである。
【００１１】
請求項４の発明は、見当マークを撮影して、ビデオ信号を出力するカメラ手段と、ビデオ信号を受け取って、撮影画面に表示する撮影画面表示手段と、を備えることを特徴とする請求項３に記載の見当合せ指示システムである。
【００１２】
請求項５の発明は、基準位置マークを持つ版胴と、前記基準位置マークが確認できる穴と見当マークとを持つ刷版を有する印刷ユニットを制御するために用いる見当合せ指示方法であって、印刷ユニットを特定する情報を含むずれ補正データと、印刷ユニットを特定する情報を含む見当マーク座標データと、印刷ユニットを特定する情報を含む見当合せ量データと、印刷ユニットを特定する情報を含む見当合せ指示と、を用いる見当合せ指示方法であって、印刷ユニットを特定する情報を含む見当マーク座標データの入力を受け付ける見当マーク座標入力ステップと、版胴調整情報を受け付ける版胴調整情報受付ステップと、見当マーク座標データと版胴調整データとを用いて、印刷ユニットを特定する情報を含むずれ補正データを作成するずれ補正データ作成ステップと、ずれ補正データと、前記見当マーク座標データとは異なる見当マーク座標データを用いて、印刷ユニットを特定する情報を含む見当合せ量データを算出する見当合せ量データ算出ステップと、見当合せ量データを含む見当合せ指示を作成する見当合せ指示作成ステップと、見当合せ指示を表示する見当合せ指示表示ステップと、を含んだ手順でなされることを特徴とする見当合せ指示方法である。
【００１３】
請求項６の発明は、基準位置マークと見当マークとを撮影して、撮影画面に表示する撮影画面表示ステップ、を含んだ手順でなされることを特徴とする請求項５に記載の見当合せ指示方法である。
【００１４】
請求項７の発明は、コンピュータに組込むことによって、コンピュータを請求項１から、請求項４までのいずれか１項に記載の見当合せ指示システムとして動作させるコンピュータプログラムである。
【００１５】
請求項８の発明は、請求項７に記載のコンピュータプログラムを記録したコンピュータ読取り可能な記録媒体である。
【００１６】
請求項９の発明は、基準位置マークを持つ版胴と、前記基準位置マークが確認できる穴と見当マークとを持つ刷版である。
【発明の効果】
【００１７】
本願発明によれば、印刷装置が振動して、カメラが振動しても、撮影表示画面の基準位置マークと、見当マークとの正確な相対位置関係を、正確に測定することが可能となる。また、印刷作業の都合で、カメラの位置を動かしても、測定位置の調整作業が不用となって、見当調整作業効率が向上する。さらには、見当調整作業時間を短縮できるので、印刷装置の稼動率を向上させることが可能である。
【発明を実施するための最良の形態】
【００１８】
（実施例）
以下、図面等を参照しながら、本発明の実施の形態について、更に詳しく説明する。図１は、見当合せ指示システムの概要を説明する図である。見当合せ指示システム１は、各印刷ユニット７００の版胴７１０を制御する印刷制御装置３００と、カメラ５００を備える見当合せ指示装置１００と、が接続されて構成される。
【００１９】
見当合せ指示装置１００は、ずれ補正データ１９３と、見当マーク座標データ１９５と、見当合せ量データ１９７と、見当合せ指示１９９と、を記憶する。
【００２０】
印刷制御装置３００は、版胴調整データ３９９を記憶する。
【００２１】
印刷ユニット７００は、刷版８１０を咥えて保持する版胴７１０を備える。
【００２２】
なお、見当マーク座標データ１９５は、印刷ユニットを特定する情報を含むデータである。ずれ補正データ１９３は、印刷ユニットを特定する情報を含むデータである。見当合せ量データ１９７は、印刷ユニットを特定する情報を含むデータである。見当合せ指示１９９は、印刷ユニットを特定する情報を含むデータである。
【００２３】
図２は、見当合せ指示システム１の大まかな処理の流れを説明する。見当合せ指示システム１の処理は、２つの大きな処理の流れ（ずれ補正データ１９３を作成する手順と、ずれ補正データ１９３を用いて、見当合せ指示１９９を作成する手順と、）から構成される。
【００２４】
まず、ずれ補正データ１９３を作成する手順を説明する。
見当合せ指示装置１００は、各印刷ユニット７００の版胴７１０の基準位置マークと、ずれ補正用刷版８１０の見当マークと、を撮影して、撮影表示画面に表示する（図２（ア））。見当合せ指示装置１００は、各印刷ユニット７００の見当マーク座標データ１９５の入力を受け付ける（同（イ））。
【００２５】
このように、見当マークと基準位置マークとを撮影することによって、印刷ユニット７００が振動しても、正確な見当マーク座標データを測定することができる。
【００２６】
印刷制御装置 ３００は、各印刷ユニット７００の版胴調整情報入力を受け付けて版胴調整データを作成する（同（カ））。
【００２７】
印刷制御装置 ３００は、版胴調整データ３９９を送信する（同（キ））。
【００２８】
見当合せ指示装置１００は、版胴調整データ３９９を受信する（同（サ））。見当合せ指示装置１００は、見当マーク座標データ１９５と版胴調整データ３９９とを用いて、各印刷ユニット７００のずれ補正データ１９３を作成する（同（シ））。
【００２９】
次に、ずれ補正データ１９３を用いて、見当合せ指示１９９を作成する手順を説明する。
【００３０】
見当合せ指示装置１００は、各印刷ユニット７００の版胴７１０の基準位置マークと、印刷本番用刷版８１０の見当マークと、を撮影して、撮影画面に表示する（同（タ））。
【００３１】
見当合せ指示装置１００は、各印刷ユニット７００の見当マーク座標データ１９５の入力を受け付ける（同（チ））。見当合せ指示装置１００は、入力を受け付けた見当マーク座標データ１９５と、ずれ補正データ１９３とを用いて、各印刷ユニット７００の見当合せ量データ１９７を算出する（同（ツ）。見当合せ指示装置１００は、各印刷ユニット７００の見当合せ量データ１９７を含む見当合せ指示１９９を送信する（同（テ）。
【００３２】
印刷制御装置 ３００は、各印刷ユニット７００の見当合せ指示１９９を受信する（同（ナ）。印刷制御装置 ３００は、各印刷ユニット７００の見当合せ指示１９９を表示する（同（ニ）。
【００３３】
このように、ずれ補正用データを作成しておくことによって、簡便に見当合せ指示を作成することが可能である。
【００３４】
最後に、見当合せ指示１９９に従って、見当合せ作業をする手順を説明する。印刷装置操作者は、各印刷ユニット７００の見当合せ指示１９９に従って、該当する印刷ユニット７００の版胴を制御して、見当合せ作業を行う（同（ハ）。
【００３５】
図３は、見当合せ指示システム１の詳細な構成図である。見当合せ指示システム１は、見当合せ指示装置１００と印刷制御装置３００と接続されて構成される。見当合せ指示装置１００は、カメラ手段５００と、撮影画面表示手段１１０と、見当マーク座標入力手段１２０と、版胴調整データ受信手段１３０と、ずれ補正データ作成手段１４０と、見当合せ量データ算出手段１５０と、見当合せ指示作成手段１６０と、見当合せ指示送信手段１７０と、記憶手段１９０と、記憶手段１９０は、ずれ補正データ１９３と、見当マーク座標データ１９５と、見当合せ量データ１９７と、見当合せ指示１９９と、を記憶する。
【００３６】
ずれ補正データ１９３は、印刷ユニットを特定する情報を含むデータである。見当マーク座標データ１９５は、印刷ユニットを特定する情報を含むデータである。見当合せ量データ１９７は、印刷ユニットを特定する情報を含むデータである。見当合せ指示１９９は、印刷ユニットを特定する情報を含むデータである。
【００３７】
カメラ手段５００は、基準位置マークと見当マークとを撮影して、ビデオ信号を出力する。撮影画面表示手段１１０は、ビデオ信号を受け取って、基準位置マークと見当マークとを撮影画面に表示する。
【００３８】
見当マーク座標入力手段１２０は、見当マーク座標データの入力を受け付ける。版胴調整データ受信手段１３０は、版胴調整データを受信する。
【００３９】
ずれ補正データ作成手段１４０は、見当マーク座標データと版胴調整データとを用いて、印刷ユニットを特定する情報を含むずれ補正データ１９３を作成する。見当合せ量データ算出手段１５０は、ずれ補正データ１９３と、前記見当マーク座標データとは異なる見当マーク座標データを用いて、見当合せ量データを算出する。
【００４０】
見当合せ指示作成手段１６０は、見当合せ量データを含む見当合せ指示を作成する。見当合せ指示送信手段１７０は、見当合せ指示１９９を送信する。
【００４１】
印刷制御装置３００は、版胴調整情報受付手段３１０と、版胴調整データ作成手段３２０と、版胴調整データ送信手段３３０と、見当合せ指示受信手段３７０と、見当合せ指示表示手段３４０と、記憶手段３９０と、を備える。記憶手段３９０は、版胴調整データ３９９を記憶する。
【００４２】
版胴調整データ３９９は、印刷ユニットを特定する情報を含むデータである。
【００４３】
版胴調整情報受付手段３１０は、版胴調整情報を受け付ける。版胴調整データ作成手段３２０は、版胴調整情報を含む版胴調整データを作成する。版胴調整データ送信手段３３０は、版胴調整データを送信する。
見当合せ指示受信手段３７０は、見当合せ指示を受信する。見当合せ指示表示手段３４０は、見当合せ指示を表示する。
【００４４】
撮影画面表示手段１１０と、見当マーク座標入力手段１２０と、版胴調整データ受信手段１３０と、ずれ補正データ作成手段１４０と、見当合せ量データ算出手段１５０と、見当合せ指示作成手段１６０と、見当合せ指示送信手段１７０と、版胴調整情報受付手段３１０と、版胴調整データ作成手段３２０と、版胴調整データ送信手段３３０と、見当合せ指示受信手段３７０と、見当合せ指示表示手段３４０と、は、コンピュータプログラムである。ずれ補正データ１９３と、見当マーク座標データ１９５と、見当合せ量データ１９７と、見当合せ指示１９９と、版胴調整データ３９９と、は、コンピュータプログラムが可読なデータである。記憶手段１９０と、記憶手段３９０と、は、メモリである。
カメラ手段５００は電子素子（たとえば、ＣＣＤ）である。
【００４５】
図４は、版胴調整データ３９９の形式を説明する図である。版胴調整データ３９９は、印刷ユニットを特定する情報と、天地調整量情報と、左右調整量情報と、コッキング調整量情報と、から構成される。天地調整量情報は、版胴７１０の回転方向の位置を調整する情報である。左右調整量情報は、版胴７１０の左右の位置を調整する情報である。コッキング調整量は、版胴７１０の傾きを調整する情報である。
【００４６】
図５は、見当マーク座標データ１９５の形式を説明する図である。見当マーク座標データ１９５は、印刷ユニットを特定する情報と、左見当マーク座標データ（ＸLi、ＹLi）と、右見当マーク座標データ（ＸRi、ＹRi）と、から構成される。左右の見当マーク座標データは、基準位置マークを原点にした見当マークの座標値である。(詳細は後述する。）
【００４７】
図６は、ずれ補正データ１９３の形式を説明する図である。ずれ補正データ１９３は、印刷ユニットを特定する情報と、天地調整量情報と、左右調整量情報と、コッキング調整量情報と、ずれ補正用見当マーク座標データと、から構成される。
天地調整量情報と、左右調整量情報と、コッキング調整量情報と、は、図４と同じである。ずれ補正用見当マーク座標データは、ずれ補正用左見当マーク座標データと、ずれ補正用右見当マーク座標データと、から構成される。
【００４８】
なお、見当マーク座標データには、左咥え尻見当マーク座標データと、右咥え尻見当マーク座標データ等を追加してもよい。
【００４９】
図７は、見当合せ量データ１９７の形式を説明する図である。見当合せ量データ１９７は、印刷ユニットを特定する情報と、天地見当合せ量情報と、左右見当合せ量情報と、コッキング見当合せ量情報と、から構成される。天地見当合せ量情報と、左右見当合せ量情報と、コッキング見当合せ量情報と、は、それぞれ、図４の天地調整量情報と、左右調整量情報と、コッキング調整量情報と、同じである。
【００５０】
図８は、見当合せ量データ１９７の算出方法の説明図である。各印刷ユニットのずれ補正データ１９３と見当マーク座標データ１９５と用いて、各印刷ユニットの見当合せ量データ１９７を算出する。
【００５１】
天地見当合せ量の算出式１９７ａは、「天地見当合せ量情報＝Ａ＋ （（ＸL1＋ＸL2 −ＸL3−ＸL4 ）＋ （ＸR1＋ＸR2 −ＸR3−ＸR4 ））／２」である。
【００５２】
左右見当合せ量の算出式１９７ｂは、「左右見当合せ量情報＝Ｂ＋ （（ＹL1＋ＹL2 −ＹL3−ＹL4 ）＋ （ＹR1＋ＹR2 −ＹR3−ＹR4 ））／２」である。
【００５３】
左を基準とした右のコッキング見当合せ量の算出式１９７ｃは、「コッキング見当合せ量情報＝Ｃ＋（ＹL1＋ＹL2 −ＹL3−ＹL4 ）− （ＹR1＋ＹR2 − ＹR3−ＹR4 ）」である。
【００５４】
なお、Ａ＝天地調整量情報、Ｂ＝左右調整量情報、Ｃ＝コッキング調整量情報、である。
【００５５】
また、ＸL1 ＝第１位ユニットのずれ補正用左見当マークのＸ測定座標値、ＸL2 ＝第２位ユニットのずれ補正用左見当マークのＸ測定座標値、ＸL3 ＝第１位ユニットの左見当マークのＸ測定座標値、ＸL4 ＝第２位ユニットの左見当マークのＸ測定座標値、である。
【００５６】
ＸR1 ＝第１位ユニットのずれ補正用右見当マークのＸ測定座標値、ＸR2 ＝第２位ユニットのずれ補正用右見当マークのＸ測定座標値、である。ＸR3 ＝第１位ユニットの右見当マークのＸ測定座標値、ＸR4 ＝第２位ユニットの右見当マークのＸ測定座標値、である。
【００５７】
ＹL1 ＝第１位ユニットのずれ補正用左見当マークのＹ測定座標値、ＹL2 ＝第２位ユニットのずれ補正用左見当マークのＹ測定座標値、ＹL3 ＝第１位ユニットの左見当マークのＹ測定座標値、ＹL4 ＝第２位ユニットの左見当マークのＹ測定座標値、である。
【００５８】
ＹR1 ＝第１位ユニットのずれ補正用右見当マークのＹ測定座標値、ＹR2 ＝第２位ユニットのずれ補正用右見当マークのＹ測定座標値、ＹR3 ＝第１位ユニットの右見当マークのＹ測定座標値、ＹR4 ＝第２位ユニットの右見当マークのＹ測定座標値、である。
【００５９】
図９は、撮影表示画面の説明図である。撮影表示画面には、基準位置マーク７１１と、見当マークと、が、同一画面上に映し出されている。印刷装置操作者は、この撮影表示画面を観察して、見当マークの座標値を測定する。基準位置マーク７１１のセンターを原点として、横線をＸ軸、縦線をＹ軸とする。
【００６０】
このとき、見当マークに目盛りを入れることにより、画面上で容易に測定ができるようにしてもよい。また、画像処理して、自動的に座標値を求めてもよい。
【００６１】
図１０は、基準位置マークを有する版胴７１０の説明図である。版胴７１０は、刷版８１０を咥える場所の近傍（たとえば、版固定用万力の近傍）の左右２箇所に、基準位置マーク７１１（罫書線）を有する。
【００６２】
図１１は、 パンチ穴と見当マーク８１１を有する刷版８１０の説明図である。刷版８１０の咥え側の左右２箇所に、見当マーク８１１を露光して焼き付ける。このとき、各印刷ユニット７００で用いる刷版８１０の左右２箇所の見当マーク８１１の距離は、いずれも、等しい距離である。見当マーク８１１に隣接する位置に、版胴７１０上の基準位置マーク７１１が確認できるように、パンチ穴を設ける。
【００６３】
図１２は、刷版８１０を版胴７１０に取付けた状態の説明図である。見当マークを有する刷版８１０は、基準位置マークを有する版胴７１０に固定されている。刷版８１０のパンチ穴をとおして、版胴の基準位置マーク７１１が、観察できる。
【００６４】
図１３は、見当マークの撮影の説明図である。刷版８１０を版胴７１０に取付け後、カメラ５００にて、見当マーク８１１と基準位置マーク７１１とを撮影して、撮影表示画面に映し出す。
【００６５】
図１４は、印刷媒体９００上に印刷されている、ずれた見当マークと、見当調整の手順と、を説明する図である。印刷媒体９００には、第１印刷ユニット７００で印刷した左右２つの見当マーク８１１Ｌ１／８１１Ｒ１と、第２印刷ユニット７００で印刷した左右２つの見当マーク８１１Ｌ２ ／８１１Ｒ２と、が印刷されている。
【００６６】
ここで、印刷装置操作者は、第２印刷ユニット７００の版胴７１０を調整することで、第２印刷ユニットで印刷した見当マークが第１印刷ユニットで印刷した見当マークに重なるように、調整する。
【００６７】
たとえば、印刷装置操作者は、最初に、コッキング調整作業を行って、第２印刷ユニット７００で印刷した左右の見当マーク８１１Ｌ２／ ８１１Ｒ２の傾き８００ａを、第１印刷ユニット７００で印刷した左右の見当マーク８１１Ｌ１／ ８１１Ｒ１の傾き８００ｂに揃える。
【００６８】
次に、天地調整を行って、第２印刷ユニット７００で印刷した左右の見当マーク８１１Ｌ２／ ８１１Ｒ２を、Ｙ座標値を一致させる。このときに、コッキング調整が不十分であれば、この見当マーク８１１Ｌ２／ ８１１Ｒ２のＹ座標値を、第１印刷ユニット７００で印刷した２つの見当マーク８１１Ｌ１／ ８１１Ｒ１のＹ座標値に一致させることができないので、再度、コッキング調整作業を行い、Ｙ座標値を一致させる。
【００６９】
最後に、同様にして、第２印刷ユニット７００の左右調整を行って、Ｘ座標値を一致させる。ここで、各印刷ユニット７００で印刷した左右の見当マークの距離はそれぞれ等しいので、見当マークは、重なる。
【００７０】
ここで、印刷装置操作者は、見当合せしたときのコッキング調整量情報と、天地調整量情報と、左右調整量情報と、を含んだ版胴調整情報を入力する。
【００７１】
図１５は、印刷媒体９００上に印刷されている見当合せされた見当マーク８１１の説明図である。見当調整した見当マークが印刷媒体９００に、重なって印刷されている。
【００７２】
図１５には、第１位ユニットの左見当マーク８１１Ｌ１と、第２位ユニットの左見当マーク８１１Ｌ２と、が、重なって印刷されていて、同様に、第１位ユニットの右見当マーク８１１Ｒ１と、第２位ユニットの右見当マーク８１１Ｒ２と、が、重なって印刷されている印刷媒体９００が、例示されている。
【００７３】
以上詳しく説明したように、本願発明によれば、印刷装置が振動して、カメラが振動しても、撮影表示画面の基準位置マークと、見当マークとの正確な相対位置関係を、正確に測定することが可能となった。また、印刷作業の都合で、カメラの位置を動かしても、測定位置の調整作業が不用となって、作業効率が向上した。さらには、見当調整作業時間を短縮できるので、印刷装置の稼動率を向上させることが可能となった。
【図面の簡単な説明】
【００７４】
【図１】見当合せ指示システムの概要
【図２】見当合せ指示システム１の大まかな処理の流れ
【図３】見当合せ指示システム１の詳細な構成図
【図４】版胴調整データ３９９の形式
【図５】見当マーク座標データ１９５の形式
【図６】ずれ補正データ１９３の形式
【図７】見当合せ量データ１９７の形式
【図８】見当合せ量データ１９７の算出
【図９】撮影表示画面
【図１０】基準位置マークを有する版胴
【図１１】パンチ穴と見当マーク８１１を有する刷版
【図１２】見当マークを有する刷版を固定した基準位置マークを有する版胴
【図１３】見当マークの測定座標値の測定方法
【図１４】印刷媒体上に印刷されている、ずれた見当マーク
【図１５】印刷媒体上に印刷されている見当合せされた見当マーク
【符号の説明】
【００７５】
１  見当合せ指示システム
１００  見当合せ指示装置
１１０  撮影画面表示手段
１２０  見当マーク座標入力手段
１３０  版胴調整データ受信手段
１４０  ずれ補正データ作成手段
１５０  見当合せ量データ算出手段
１６０  見当合せ指示作成手段
１７０  見当合せ指示送信手段
１９０  記憶手段
１９３  ずれ補正データ
１９５  見当マーク座標データ
１９７  見当合せ量データ
１９７ａ  天地見当合せ量の算出式
１９７ｂ  左右見当合せ量の算出式
１９７ｃ  コッキング見当合せ量の算出式
１９９  見当合せ指示
３００  印刷制御装置
３１０  版胴調整情報受付手段
３２０  版胴調整データ作成手段
３３０  版胴調整データ送信手段
３４０  見当合せ指示表示手段
３７０  見当合せ指示受信手段
３９０  記憶手段
３９９  版胴調整データ
５００  カメラ手段
７００  印刷ユニット
７１０  版胴
７１１  基準位置マーク
８１０  刷版
８１１  見当マーク
８１１Ｌ１  第１印刷ユニット７００で印刷した左見当マーク
８１１Ｒ１  第１印刷ユニット７００で印刷した右見当マーク
８１１Ｌ２  第２印刷ユニット７００で印刷した左見当マーク
８１１Ｒ２  第２印刷ユニット７００で印刷した右見当マーク
【図１】
2008012736.tif 000003
【図２】
2008012736.tif 000004
【図３】
2008012736.tif 000005
【図４】
2008012736.tif 000006
【図５】
2008012736.tif 000007
【図６】
2008012736.tif 000008
【図７】
2008012736.tif 000009
【図８】
2008012736.tif 000010
【図９】
2008012736.tif 000011
【図１０】
2008012736.tif 000012
【図１１】
2008012736.tif 000013
【図１２】
2008012736.tif 000014
【図１３】
2008012736.tif 000015
【図１４】
2008012736.tif 000016
【図１５】
2008012736.tif 000017